(57)【要約】【課題】１人でも歌の練習を手軽に行えて歌を上達することができる歌の練習音源記録媒体及び歌の練習方法を提供する。【解決手段】練習歌の伴奏楽曲データを再生装置４０で再生可能に記録した音源記録媒体であり、練習歌の歌詞に対応したメロディライン演奏を含む複数の伴奏楽曲からなり、楽曲全体を半音ずつ上下に変化させた第１伴奏楽曲群を含む第１データ部１０と、練習歌の拍子の拍数音の音で形成される和音演奏を含む複数の伴奏楽曲からなり、楽曲全体を半音ずつ上下に変化させた第２伴奏楽曲群を含む第２データ部２０と、第１伴奏楽曲群及び第２伴奏楽曲群とは少なくとも拍数音において異なる伴奏態様の複数の伴奏楽曲からなり、楽曲全体を半音ずつ上下に変化させた第３伴奏楽曲群を含む第３データ部３０と、を記録したことを特徴とする歌の練習音源記録媒体１から構成される。【選択図】図１
2013134388.tif 000002
【特許請求の範囲】
【請求項１】
練習歌の伴奏楽曲データを再生装置で再生可能に記録した音源記録媒体であり、
練習歌の歌詞に対応したメロディライン演奏を含む複数の伴奏楽曲からなり、楽曲全体を半音ずつ上下に変化させた第１伴奏楽曲群を含む第１データ部と、
練習歌の拍子の拍数音の音で形成される和音演奏を含む複数の伴奏楽曲からなり、楽曲全体を半音ずつ上下に変化させた第２伴奏楽曲群を含む第２データ部と、
第１伴奏楽曲群及び第２伴奏楽曲群とは少なくとも拍数音において異なる伴奏態様の複数の伴奏楽曲からなり、楽曲全体を半音ずつ上下に変化させた第３伴奏楽曲群を含む第３データ部と、を記録したことを特徴とする歌の練習音源記録媒体。
【請求項２】
第１データ部の各伴奏楽曲は、練習歌の歌詞に対応したメロディライン演奏と、メロディライン演奏に同期して演奏される補助演奏であって、メロディラインの各小節での第１音に付される伴奏用和音コードの根音に対応する音を含む構成で演奏される補助演奏と、を含むことを特徴とする請求項１記載の歌の練習音源記録媒体。
【請求項３】
第２データ部の各伴奏楽曲の和音演奏は、各小節の第１拍目の和音の最上音が、第１データ部の対応する伴奏楽曲のメロディライン演奏の各小節の第１音と同じ音に設定されたことを特徴とする請求項１又は２記載の歌の練習音源記録媒体。
【請求項４】
再生装置での再生順序を、第１データ部の次に第２データ部、そして第３データ部となる順番で設定した順序設定手段を有することを特徴とする請求項１ないし３のいずれかに記載の歌の練習音源記録媒体。
【請求項５】
順序設定手段は、第１データ部と第２データ部と第３データ部のそれぞれについて、複数の伴奏楽曲の再生装置での再生順序を、次第に音階が高くなる順番で設定したことを特徴とする請求項４記載の歌の練習音源記録媒体。
【請求項６】
第１データ部と第２データ部と第３データ部はそれぞれ、楽曲全体を半音ずつ上下に変化させた少なくとも３つの伴奏楽曲を有することを特徴とする請求項１ないし５のいずれかに記載の歌の練習音源記録媒体。
【請求項７】
請求項１ないし６のいずれかに記載の歌の練習音源記録媒体を再生装置で再生させて練習者が歌の練習を行える歌の練習方法であり、
練習歌の歌詞に対応したメロディライン演奏にあわせて歌の練習を行えるように、再生装置で該歌の練習音源記録媒体の第１データ部の第１伴奏楽曲群を半音ずつ高くなる順番で再生させる第１の練習ステップと、
第１の練習ステップの後に、練習歌の拍子にあわせて歌の練習を行えるように、再生装置で該歌の練習音源記録媒体の第２データ部の第２伴奏楽曲群を半音ずつ高くなる順番で再生させる第２の練習ステップと、
第２の練習ステップの後に、第１伴奏楽曲群及び第２伴奏楽曲群とは少なくとも拍数音において異なる伴奏態様にあわせて歌の練習を行えるように、再生装置で該歌の練習音源記録媒体の第３データ部の第３伴奏楽曲群を音階が半音ずつ高くなる順番で再生させる第３の練習ステップと、を含むことを特徴とする歌の練習方法。
【発明の詳細な説明】
【技術分野】
【０００１】
本発明は、１人でも歌の練習を手軽に行えて歌を上達することができる歌の練習音源記録媒体及び歌の練習方法に関する。
【背景技術】
【０００２】
歌が上達するためには歌う練習を繰り返す必要がある。歌のレッスンを受講して練習するのは時間が限られてしまうことから、１人で歌の練習を行う者も多い。１人で歌を練習する方法としては、例えば、カラオケなどのように歌がない伴奏だけの楽曲にあわせて歌って行う場合が多い。一方、特許文献１には、コーラスの学習者が個人でパートを学習する際に好適に使用することができるものであって、独唱パート、独唱パートを覗いた合唱パート、全員の合唱パート、その他のパート、を記録媒体に記録したコーラス独唱用記録媒体が開示されている。
【先行技術文献】
【特許文献】
【０００３】
【特許文献１】特開２００２−６７３２号公報
【発明の概要】
【発明が解決しようとする課題】
【０００４】
しかしながら、1人で練習する際には、カラオケや特許文献１の記録媒体などのように単に伴奏楽曲にあわせて歌うだけでは、正確に音程を合わせたりリズムを取ったりすることが難しかった。また、従来の１人での歌練習方法では、通常同じような１つ又は限られた変化の少ないパターンでしか練習できないため、声帯が鍛えられなかったり、練習も退屈しやすく、１人の練習だけではなかなか歌が上達しないといった問題があった。同様に特許文献１の記録媒体でもコーラスのパートが異なるだけで歌の伴奏態様は１パターンに限られることから、同様に声帯が鍛えられなかったり、１人の練習だけではなかなか歌が上達しないといった問題があった。
【０００５】
本発明は上記従来の課題に鑑みてなされたものであり、その一つの目的は、１人でも歌の練習を手軽に行えて歌を上達することができる歌の練習音源記録媒体及び歌の練習方法を提供することにある。
【課題を解決するための手段】
【０００６】
上記課題を解決するために本発明は、練習歌の伴奏楽曲データを再生装置４０で再生可能に記録した音源記録媒体であり、練習歌の歌詞に対応したメロディライン演奏を含む複数の伴奏楽曲（１１〜１４）からなり、楽曲全体を半音ずつ上下に変化させた第１伴奏楽曲群（１１〜１４）を含む第１データ部１０と、練習歌の拍子の拍数音の音で形成される和音演奏を含む複数の伴奏楽曲（２１〜２４）からなり、楽曲全体を半音ずつ上下に変化させた第２伴奏楽曲群（２１〜２４）を含む第２データ部２０と、第１伴奏楽曲群及び第２伴奏楽曲群とは少なくとも拍数音において異なる伴奏態様の複数の伴奏楽曲（３１〜３４）からなり、楽曲全体を半音ずつ上下に変化させた第３伴奏楽曲群を含む第３データ部３０と、を記録したことを特徴とする歌の練習音源記録媒体１から構成される。
【０００７】
また、第１データ部１０の各伴奏楽曲（１１〜１４）は、練習歌の歌詞に対応したメロディライン演奏と、メロディライン演奏に同期して演奏される補助演奏であって、メロディラインの各小節での第１音に付される伴奏用和音コード（Ｐ）の根音に対応する音（Ｑ）を含む構成で演奏される補助演奏と、を含むこととしてもよい。
【０００８】
また、第２データ部２０の各伴奏楽曲（２１〜２４）の和音演奏は、各小節の第１拍目の和音の最上音（Ｒ）が、第１データ部１０の対応する伴奏楽曲（１１〜１４）のメロディライン演奏の各小節の第１音（Ｓ）と同じ音に設定されたこととしてもよい。
【０００９】
また、再生装置４０での再生順序を、第１データ部１０の次に第２データ部２０、そして第３データ部３０となる順番で設定した順序設定手段（Ｄ）を有することとしてもよい。
【００１０】
また、順序設定手段は、第１データ部１０と第２データ部２０と第３データ部３０のそれぞれについて、複数の伴奏楽曲（１１〜１４、２１〜２４、３１〜３４）の再生装置での再生順序を、次第に音階が高くなる順番で設定したこととしてもよい。
【００１１】
また、第１データ部１０と第２データ部２０と第３データ部３０はそれぞれ、楽曲全体を半音ずつ上下に少なくとも３つ変化させた３つの伴奏楽曲を有することとしてもよい。
【００１２】
さらに、本発明は、上記記載の歌の練習音源記録媒体１を再生装置４０で再生させて練習者が歌の練習を行える歌の練習方法であり、練習歌の歌詞に対応したメロディライン演奏にあわせて歌の練習を行えるように、再生装置４０で該歌の練習音源記録媒体１の第１データ部１０の第１伴奏楽曲群を半音ずつ高くなる順番で再生させる（Ｓ１２〜Ｓ１８）第１の練習ステップＳ１０と、第１の練習ステップＳ１０の後に、練習歌の拍子にあわせて歌の練習を行えるように、再生装置４０で該歌の練習音源記録媒体１の第２データ部２０の第２伴奏楽曲群を半音ずつ高くなる順番で再生させる（Ｓ２２〜Ｓ２８）第２の練習ステップＳ２０と、第２の練習ステップＳ２０の後に、第１伴奏楽曲群及び第２伴奏楽曲群とは少なくとも拍数音において異なる伴奏態様にあわせて歌の練習を行えるように、再生装置４０で該歌の練習音源記録媒体１の第３データ部３０の第３伴奏楽曲群を音階が半音ずつ高くなる順番で再生させる（Ｓ３２〜Ｓ３８）第３の練習ステップＳ３０と、を含むことを特徴とする歌の練習方法から構成される。
【発明の効果】
【００１３】
本発明の歌の練習音源記録媒体によれば、練習歌の伴奏楽曲データを再生装置で再生可能に記録した音源記録媒体であり、練習歌の歌詞に対応したメロディライン演奏を含む複数の伴奏楽曲からなり、楽曲全体を半音ずつ上下に変化させた第１伴奏楽曲群を含む第１データ部と、練習歌の拍子の拍数音の音で形成される和音演奏を含む複数の伴奏楽曲からなり、楽曲全体を半音ずつ上下に変化させた第２伴奏楽曲群を含む第２データ部と、第１伴奏楽曲群及び第２伴奏楽曲群とは少なくとも拍数音において異なる伴奏態様の複数の伴奏楽曲からなり、楽曲全体を半音ずつ上下に変化させた第３伴奏楽曲群を含む第３データ部と、を記録したことから、1人で歌の練習を行う際に再生装置で再生させて、第１伴奏楽曲群により練習歌の歌詞に対応したメロディの音程をしっかり覚えることができ、第２伴奏楽曲群により練習歌の拍子の拍をつかむことで歌の流れのリズムを確かなものとすることができ、さらに第３伴奏楽曲群により、練習者が規則的な伴奏から解放されて気持ちよく達成感や満足感を感じながら歌の練習を行うことができる。さらに、それぞれのデータ部での伴奏楽曲では楽曲全体を半音ずつ上下に変化させているので、声帯が鍛えられ、声域が広がる効果が期待できる。その結果、１人の練習でも上記のような複数のパターンの伴奏で歌の練習を効果的に行って、歌を上達することができる。
【００１４】
また、第１データ部の各伴奏楽曲は、練習歌の歌詞に対応したメロディライン演奏と、メロディライン演奏に同期して演奏される補助演奏であって、メロディラインの各小節での第１音に付される伴奏用和音コードの根音に対応する音を含む構成で演奏される補助演奏と、を含む構成とすることにより、伴奏楽曲の各小節ごとに補助演奏の第１音で拍子を歌う人に意識させながら歌の練習を行うことができ、歌の上達に寄与できる。
【００１５】
また、第２データ部の各伴奏楽曲の和音演奏は、各小節の第１拍目の和音の最上音が、第１データ部の対応する伴奏楽曲のメロディライン演奏の各小節の第１音と同じ音に設定された構成とすることにより、伴奏楽曲の各小節において、拍数音の和音の音を練習者に対して印象を強く与えて拍子を把握しやすくしながら歌の練習を行うことができ、歌の上達に寄与できる。
【００１６】
また、再生装置での再生順序を、第１データ部の次に第２データ部、そして第３データ部となる順番で設定した順序設定手段を有する構成とすることにより、メロディラインで音程を習得した後に、拍子の拍に合わせながら歌の練習を行えるので、練習者が歌の習得を確実なものとし、歌いやすくスムーズに歌の練習を行える。
【００１７】
また、順序設定手段は、第１データ部と第２データ部と第３データ部のそれぞれについて、複数の伴奏楽曲の再生装置での再生順序を、次第に音階が高くなる順番で設定した構成とすることにより、次第に音程を高くして歌うので、無理なく練習者の声帯を鍛えながら歌の練習を行うことができる。
【００１８】
また、第１データ部と第２データ部と第３データ部はそれぞれ、楽曲全体を半音ずつ上下に少なくとも３つ変化させた３つの伴奏楽曲を有する構成とすることにより、効果的に練習者の声帯を鍛えて広い音域で歌うことができるような歌の練習を行える。
【００１９】
さらに、本発明の歌の練習方法によれば、上記記載の歌の練習音源記録媒体を再生装置で再生させて練習者が歌の練習を行える歌の練習方法であり、練習歌の歌詞に対応したメロディライン演奏にあわせて歌の練習を行えるように、再生装置で該歌の練習音源記録媒体の第１データ部の第１伴奏楽曲群を半音ずつ高くなる順番で再生させる第１の練習ステップと、第１の練習ステップの後に、練習歌の拍子にあわせて歌の練習を行えるように、再生装置で該歌の練習音源記録媒体の第２データ部の第２伴奏楽曲群を半音ずつ高くなる順番で再生させる第２の練習ステップと、第２の練習ステップの後に、第１伴奏楽曲群及び第２伴奏楽曲群とは少なくとも拍数音において異なる伴奏態様にあわせて歌の練習を行えるように、再生装置で該歌の練習音源記録媒体の第３データ部の第３伴奏楽曲群を音階が半音ずつ高くなる順番で再生させる第３の練習ステップと、を含むことから、第１の練習ステップにより練習歌の歌詞に対応したメロディの音程をしっかり覚えることができ、第２の練習ステップにより練習歌の拍子の拍をつかむことで歌の流れのリズムを確かなものとすることができ、さらに第３の練習ステップにより、練習者が規則的な伴奏から解放されて気持ちよく達成感や満足感を感じながら歌の練習を行うことができる。さらに、それぞれのデータ部での伴奏楽曲では楽曲全体を半音ずつ上下に変化させているので、声帯が鍛えられ、声域が広がる効果が期待できる。その結果、１人の練習でも、複数のパターンの伴奏で歌の練習を効果的に行って、歌の上達を期待できる。
【図面の簡単な説明】
【００２０】
【図１】本発明の一実施形態に係る歌の練習音源記録媒体及び再生装置の概略ブロック説明図である。
【図２】図１の歌の練習音源記録媒体のより詳細なブロック説明図である。
【図３】図１の歌の練習音源記録媒体の第１データ部の第１伴奏楽曲群の具体例の楽譜の一部の説明図である。
【図４】図１の歌の練習音源記録媒体の第２データ部の第２伴奏楽曲群の具体例の楽譜の一部の説明図である。
【図５】図１の歌の練習音源記録媒体の第３データ部の第３伴奏楽曲群の具体例の楽譜の一部の説明図である。
【図６】一実施形態に係る歌の練習方法のフローチャートである。
【発明を実施するための形態】
【００２１】
以下添付図面を参照しつつ本発明の歌の練習音源記録媒体及び歌の練習方法の実施形態について説明する。本発明に係る歌の練習音源記録媒体は、例えば、所望の練習歌の伴奏楽曲データを記録したＣＤ、ＤＶＤ、磁気テープ等の記録メディアであり、歌の練習を１人で行う際に伴奏楽曲を再生装置で再生しながら練習者が該伴奏楽曲にあわせて歌うことで歌の上達に寄与するものである。図１ないし図５は、本発明の歌の練習音源記録媒体の一実施形態を示している。図１、図２に示すように、本実施形態において、歌の練習音源記録媒体１は、メロディライン演奏を含む複数の伴奏楽曲からなる第１データ部１０と、和音演奏を含む複数の伴奏楽曲からなる第２データ部２０と、それらとは異なる演奏態様の複数の伴奏楽曲からなる第３データ部３０と、を記録している。
【００２２】
本実施形態では、歌の練習音源記録媒体１は、練習歌の伴奏楽曲データを再生装置４０で再生可能に記録されている。歌の練習音源記録媒体１は、例えば、ＣＤ、ＤＶＤ、ブルーレイディスク、光ディスクからなり、該楽曲データをデジタル信号で記録している。なお、記録媒体１は、ＣＤ等に限らず、ハードディスク、ＳＤメモリカード、フラッシュメモリ等の半導体メモリ、磁気ディスク、磁気テープ等その他、楽曲データが記録されるものであればデジタル式、アナログ式の任意のものでよい。歌の練習音源記録媒体１は、例えば、ＣＤやＤＶＤ等のように再生装置４０に対して挿入又は取り出し自在のタイプでもよいし、ハードディスクのように再生装置に固定的に内蔵されるタイプでもよい。歌の練習音源記録媒体１は、１つの練習歌（例えば、本実施形態では「恋は水色」）についての伴奏楽曲を複数パターンの伴奏態様で演奏したものが記録されている。したがって、複数パターンのそれぞれの伴奏楽曲にあわせて歌の練習を行うことで歌唱力の向上を期待できる。それぞれの伴奏楽曲は、例えば、図３から図５に示すような楽譜であらわされる伴奏楽曲をピアノ等の楽器で演奏されたものが録音され、その音楽信号が所定のデータ形式で記録されている。なお、図３から図５で図示した楽譜は、説明のために楽曲の一部分、例えば、楽曲のサビの部分の４小節分を表しているが、実際には楽曲全体について録音されている。また、練習歌のタイプ、ジャンルは特に限定されず、例えば、シャンソン、演歌、ジャズ、ポップス、民謡、歌謡曲等その他任意の歌でもよい。歌の練習音源記録媒体１には、１つの伴奏楽曲に対応して１つの楽曲データとして記録されており、伴奏楽曲ごとにいわゆる音楽トラック分けされたように、複数の楽曲データからなるデータ構造となっている。なお、複数の伴奏楽曲を１つのデータで記録してもよい。また、歌の練習音源記録媒体１は、基本的には所定の伴奏楽曲データが記録されていればよく、伴奏楽曲データの他に、静止画、動画、文字等を含む映像データや、歌手や歌の先生が歌った模範の歌等が記録された楽曲が記録されていてもよい。
【００２３】
図２、図３に示すように、第１データ部１０は、練習歌の歌詞に対応したメロディライン演奏を含む複数の第１伴奏楽曲１１〜１４から構成されている。第１データ部１０では、複数の伴奏楽曲１１〜１４が楽曲全体を半音ずつ上下に変化させて第１伴奏楽曲群が構成されている。本実施形態では、第１伴奏楽曲群のそれぞれの伴奏楽曲は、練習歌の歌詞に対応して音の高低や長短を変化させながら連続して形成されたメロディライン演奏となる高音部（図３（ａ）〜（ｄ）に示す各楽譜の上段）と、該メロディライン演奏と同期して演奏される補助演奏となる低音部（図３（ａ）〜（ｄ）に示す各楽譜の下段）と、を含む。第１伴奏楽曲群は、例えば、基準の音程で練習歌の伴奏楽曲を演奏した第１メロディ伴奏曲１１と、第１メロディ伴奏曲１１より半音高くして演奏した第２メロディ伴奏曲１２と、第２メロディ伴奏曲１２より半音高くして演奏した第３メロディ伴奏曲１３と、第３メロディ伴奏曲１３より半音高くして演奏した第４メロディ伴奏曲１４と、の４つの伴奏楽曲からなる。すなわち、第１伴奏楽曲群は、同一の練習歌（例えば、「恋は水色」）のメロディライン伴奏を含む伴奏楽曲であって楽曲全体を半音ずつ上下に４段階変化させた４つの伴奏楽曲からなる。また、第１メロディ伴奏曲１１を基準のメロディ伴奏曲とすると、第２メロディ伴奏曲１２は基準より１半音高いメロディ伴奏曲、第３メロディ伴奏曲１３は基準より２半音高いメロディ伴奏曲、第４メロディ伴奏曲１４は基準より３半音高いメロディ伴奏曲、といえる。なお、第１伴奏楽曲群は、楽曲全体を半音ずつ上下に変化した少なくとも３つの伴奏楽曲（例えば、第１〜第３メロディ伴奏の３つ）を含むとよい。歌の音程を上下に少なくとも３段階変化させて歌の練習を行うことで、声帯を鍛えて声域を広くするのに有利である。また、第１伴奏楽曲群は、楽曲全体を半音ずつ上下に変化した５つ以上の伴奏楽曲を含むこととしてもよい。
【００２４】
第１データ部１０の第１伴奏楽曲群１１〜１４は、再生装置４０で通常に再生する際にその再生順序を、次第に音階が高くなる順番で設定されている。すなわち、再生装置４０が第１データ部１０を読み取る際に通常は、第１メロディ伴奏曲１１、第２メロディ伴奏曲１２、第３メロディ伴奏曲１３、第４メロディ伴奏曲１４の順に再生させるようになっている。本実施形態では、各伴奏楽曲が記録された楽曲データは、該伴奏楽曲の音楽信号データＭに加えて、再生順番を設定又は制御するための識別符号（制御信号）Ｄを有している。したがって、記録媒体の第１データ部１０が再生装置４０で読み取られた際には、各楽曲データにおける識別符号Ｄを読み込んで設定された再生順序で再生される。
【００２５】
図３（ａ）〜（ｄ）に示すように、第１データ部１０の各伴奏楽曲１１〜１４では、メロディライン演奏に同期して演奏される補助演奏は、各小節での第１音Ｑがメロディライン演奏に付される最初の伴奏用和音コードＰの根音に対応する音を含む構成で演奏される。例えば、図３（ａ）の第１メロディ伴奏曲１１では、第１小節では伴奏用和音コードＰがＥ（ミ、ソ＃、シの和音）の根音の「ミ」に対応して、低音部（楽譜下段）の補助演奏の第１小節の第１音Ｑでは「ミ」の音に設定されている。同様に、補助演奏の第２〜第４小節でも、第１音Ｑが各小節の最初の伴奏用和音コードＰの根音に対応する音で設定されている。さらに、補助演奏では、伴奏楽曲の４分の４拍子に合わせて、各小節が４つの４分音符で構成されている。これにより、楽曲の各小節において拍子の第１拍目を強調して、拍子（この伴奏楽曲では４拍子）であることを練習者に強く意識させながら、歌の練習を行える。
【００２６】
図２、図４に示すように、第２データ部２０は、練習歌の拍子の拍数音の音で形成される和音演奏を含む複数の第２伴奏楽曲２１〜２４から構成される。第２データ部２０では、複数の伴奏楽曲が楽曲全体を半音ずつ上下に変化させて第２伴奏楽曲群が構成されている。本実施形態では、伴奏楽曲は４分の４拍子となっており、該伴奏楽曲の各小節は４分音符が４つ分の長さで構成される。図４（ａ）〜（ｄ）の各楽譜の上段に示すように、楽曲の拍子の拍数音は、４分音符が各拍のタイミングに併せて４つ並んだ音で構成されることとなる。よって、伴奏楽曲の和音演奏は、４分音符で形成された３和音が拍に対応して４つ並んで構成されている。なお、伴奏楽曲がＡ分のＢ拍子の場合には、和音演奏は、各小節でＡ分音符で形成される和音が各拍に対応してＢ個形成されることとなる。さらに、図２、図４に示すように、第２伴奏楽曲群のそれぞれの伴奏楽曲は、拍数音の音で形成した和音演奏となる高音部（各楽譜の上段）と、該和音演奏と同期して演奏される第２補助演奏からなる低音部（各楽譜の下段）と、を含む。第２伴奏楽曲群は、例えば、基準の音程で演奏した第１和音伴奏曲２１と、第１和音伴奏曲２１より半音高くして演奏した第２和音伴奏曲２２と、第２和音伴奏より半音高くして演奏した第３和音伴奏曲２３と、第３和音伴奏曲２３より半音高くして演奏した第４和音伴奏曲２４と、の４つの伴奏楽曲からなる。すなわち、第２伴奏楽曲群は、同一の練習歌の和音伴奏を含む伴奏楽曲であって楽曲全体を半音ずつ上下に４段階変化させた４つの伴奏楽曲からなる。また、第１和音伴奏曲２１を基準の和音伴奏曲とすると、第２和音伴奏曲２２は基準より１半音高い和音伴奏曲、第３和音伴奏曲２３は基準より２半音高い和音伴奏曲、第４和音伴奏曲１４は基準より３半音高い和音伴奏曲、といえる。第２伴奏楽曲群の伴奏楽曲の数は、第１伴奏楽曲群の伴奏楽曲の数と一致されており、半音ずつ変化させる段階数が同じ数になっている。なお、第２伴奏楽曲群は、第１伴奏楽曲群と同様に、楽曲全体を半音ずつ上下に変化した少なくとも３つの伴奏楽曲を有しているとよく、例えば、５つ以上の伴奏楽曲を有していてもよい。
【００２７】
第２データ部２０の第２伴奏楽曲群２１〜２４は、第１データ部と同様に、再生装置４０で通常に再生する際にその再生順序を、次第に音階が高くなる順番で設定されている。すなわち、再生装置４０が第２データ部２０を読み取る際に通常は、第１和音伴奏曲２１、第２和音伴奏曲２２、第３和音伴奏曲２３、第４和音伴奏曲２４の順に順次再生されるようになっている。本実施形態では、各伴奏楽曲が記録された楽曲データは、第１データ部同様に該伴奏楽曲の音楽信号データＭに加えて、再生順番を設定又は制御するための識別符号（制御信号）Ｄを有している。したがって、上記同様に記録媒体の第２データ部２０が再生装置４０で読み取られた際には、各楽曲データにおける識別符号Ｄを読み込んで設定された再生順序で再生される。
【００２８】
さらに、第２データ部２０の各伴奏楽曲の和音演奏（図４（ａ）〜（ｄ）の楽譜の上段）は、各小節の第１拍目の和音の最上音Ｒが、第１データ部１０の対応する伴奏楽曲のメロディライン演奏（図３（ａ）〜（ｄ）の楽譜の上段）の各小節の第１音と同じ音に設定されている。具体的には、例えば、第１データ部と第２データ部とは、低い音程の伴奏を基準として半音ずつ高くした同じレベルの楽曲どうしが対応しており、第１メロディ伴奏曲１１と第１和音伴奏曲２１とが対応し、第２メロディ伴奏曲１２と第２和音伴奏曲２２とが対応し、第３メロディ伴奏曲１３と第３和音伴奏曲２３とが対応し、第４メロディ伴奏曲１４と第４和音伴奏曲２４とが対応している。図３（ａ）に示すように第１データ部１０の第１メロディ伴奏曲１１の楽譜のメロディライン演奏（上段）の第１小節の第１音Ｓは「ソ」である。そして、図４（ａ）に示す第２データ部２０の第１和音伴奏曲２１の楽譜の第１小節の第１拍目の和音Ｒは、その最高音が前記第１メロディ伴奏の小節の第１音Ｓ１と同じ音「ソ」となるように「シ、ミ、ソ」の３和音で設定されている。和音演奏の第２〜第４小節についても同様に設定されている。これにより、和音演奏の高い音が練習者の印象に残りやすく、メロディライン演奏が無い第２伴奏楽曲群でも音程をとりやすく、歌の上達に寄与できる。
【００２９】
図２、図５に示すように、第３データ部３０は、第１データ部１０の第１伴奏楽曲群及び第２データ部２０の第２伴奏楽曲群とは異なる伴奏態様の複数の伴奏楽曲から構成されている。第３データ部３０では、複数の伴奏楽曲が楽曲全体を半音ずつ上下に変化させて第３伴奏楽曲群が構成されている。本実施形態では、第３伴奏楽曲群のそれぞれの伴奏楽曲は、上述したようなメロディライン演奏や拍数音の和音演奏とは異なって自由な伴奏態様で演奏されており、同期して演奏される自由演奏の高音部と低音部とを含む。すなわち、第３伴奏楽曲は、上記のメロディンライン演奏及び和音演奏を含まない他の伴奏態様で演奏される。第３伴奏楽曲の伴奏態様は、少なくとも拍数音において異なっているとよく、当該練習歌において通常演奏される伴奏態様でもよいし、メロディの音程や拍に拘らず楽曲のリズムや曲調を自由に変更させた任意の伴奏態様としてもよい。第３伴奏楽曲群は、例えば、基準の音程で練習歌の伴奏楽曲を演奏した第１自由伴奏曲３１と、第１自由伴奏曲３１より半音高くして演奏した第２自由伴奏曲３２と、第２自由伴奏曲３２より半音高くして演奏した第３自由伴奏と、第３自由伴奏曲３２より半音高くして演奏した第４自由伴奏曲３４と、の４つの伴奏楽曲からなる。すなわち、第３伴奏楽曲群は、同一の練習歌の自由伴奏の楽曲全体を半音ずつ上下に４段階変化させた４つの伴奏楽曲からなる。また、第１自由伴奏曲３１を基準の自由伴奏曲とすると、第２自由伴奏曲３２は基準より１半音高い自由伴奏曲、第３自由伴奏曲２３は基準より２半音高い自由伴奏曲、第４自由伴奏曲１４は基準より３半音高い自由伴奏曲、といえる。第３伴奏楽曲群の伴奏楽曲の数は、第１伴奏楽曲群及び第２伴奏楽曲群の伴奏楽曲の数と一致されており、半音ずつ変化させる段階数が同じ数となっている。なお、第３伴奏楽曲群は、第１、第２伴奏楽曲群と同様に、楽曲全体を半音ずつ上下に変化した少なくとも３つの伴奏楽曲を有しているとよく、例えば、５つ以上の伴奏楽曲を有していてもよい。
【００３０】
第３データ部の第３伴奏楽曲群３１〜３４は、第１データ部及び第２データ部と同様に、再生装置４０で通常に再生する際にその再生順序を、次第に音階が高くなる順番で設定されている。すなわち、再生装置４０が第３データ部３０を読み取って楽曲を再生する際に通常は、第１自由伴奏曲３１、第２自由伴奏曲３２、第３自由伴奏曲３３、第４自由伴奏曲２４の順に順次再生されるようになっている。本実施形態では、上記同様に各伴奏楽曲が記録された楽曲データは、該伴奏楽曲の音楽信号データＭに加えて、再生順番を設定又は制御するための識別符号（制御用信号）Ｄを有している。したがって、記録媒体の第３データ部３０が再生装置４０で読み取られた際には、各楽曲データにおける識別符号Ｄを読み込んで設定された再生順序で再生される。
【００３１】
図６に示すように、歌の練習音源記録媒体１は、再生装置での再生順序を、第１データ部１０の次に第２データ部２０、そして第３データ部３０となる順番で設定した順序設定手段を有する。本実施形態では、順序設定手段は、例えば、記録媒体の各伴奏楽曲のデータ（音楽トラック）において、音楽信号データＭとともに記録した上記識別符号Ｄを含む。識別符号Ｄは、例えば、第１データ部１０、第２データ部２０及び第３データ部３０のそれぞれの伴奏楽曲の楽曲データで連続した順番で付されている。したがって、歌の練習音源記録媒体１を再生装置で再生した際に通常は、第１、第２、第３、第４メロディ伴奏、第１、第２、第３、第４和音伴奏、第１、第２、第３、第４自由伴奏、の順番で連続再生されるようになっている。したがって、識別符号Ｄからなる順序設定手段は、第１データ部と第２データ部と第３データ部の再生順序の設定と、各第１、第２、第３データ部のそれぞれのデータ部内における複数の伴奏楽曲の再生順序の設定と、を兼用している。また、識別符号Ｄは、各データ部の複数の伴奏楽曲のインデックス機能を兼用していてもよい。なお、伴奏楽曲の再生順序を設定する手段は任意でもよく、例えば、複数の伴奏楽曲の一覧リストを保持したデータを記録させておき、再生装置でリストデータを読み取って再生順序を設定することとしてもよい。
【００３２】
再生装置４０は、歌の練習音源記録媒体１に対応してその楽曲データを読み取って楽曲を再生する再生装置であり、例えば、ＣＤプレイヤ、ＤＶＤプレイヤ等の周知の装置からなる。図１に示すように、再生装置４０は、例えば、再生や停止、早送り、巻き戻し、楽曲の選択等の操作を行なう操作部４２と、操作部の操作に基づいて制御され記録媒体の記録データを読み取って再生する読取部４４と、読取部４４で読み取り再生されたデータの音を出すスピーカ等からなる音出力部４６と、を含む。操作部４２は、例えば、伴奏楽曲の楽曲データに記録された識別符号Ｄによる設定される再生順序で再生させる機能に加えて、練習者が所望する任意の楽曲データを選択して再生できるように操作できる頭出し手段４８を有している。
【００３３】
次に、図６を参照しつつ、本実施形態において、歌の練習音源記録媒体を再生装置で再生させて練習者が歌の練習を行える歌の練習方法について説明する。本実施形態では、歌の練習方法は、第１の練習ステップＳ１０と、第２の練習ステップＳ２０と、第３の練習ステップＳ３０と、を含み、第１の練習ステップＳ１０、第２の練習ステップＳ２０、第３の練習ステップＳ３０の順番で行われる。
【００３４】
まず、第１の練習ステップＳ１０では、再生装置４０で歌の練習音源記録媒体１の第１データ部１０を再生させる。この第１の練習ステップでは、練習者は練習歌の歌詞に対応したメロディライン演奏にあわせて歌の練習を行うことができ、歌詞に対応したメロディ音階をしっかりと覚えることができる歌メロディ把握ステップといえる。第１の練習ステップＳ１０では、第１伴奏楽曲群の各伴奏楽曲を半音ずつ高くなる順番で再生させる。本実施形態では、基準の音程の第１メロディ伴奏曲１１を再生させながらその音程にあわせて楽曲全体を歌って練習を行い（ステップＳ１２）、次に第１メロディ伴奏曲１１より半音高い第２メロディ伴奏曲１２を再生させながらその音程にあわせて歌の練習を行い（ステップＳ１４）、次に第２メロディ伴奏曲１２より半音高い第３メロディ伴奏曲１４を再生させながらその音程にあわせて歌の練習を行い（ステップＳ１６）、次に第３メロディ伴奏曲１３より半音高い第４メロディ伴奏曲１４を再生させながらその音程にあわせて歌の練習を行う（ステップＳ１８）。複数の伴奏楽曲において楽曲全体を半音ずつ高く変化させて歌の練習を繰り返し行うことにより、声帯が鍛えられ、声域が広がる効果が期待でき、歌が上達できる。なお、練習歌のメロディ音程を覚えるために第１練習ステップの各ステップを繰返し練習することとしてもよい。
【００３５】
第２の練習ステップＳ２０は、第１の練習ステップの後すなわち練習歌のメロディを覚えた後の第２練習ステップであり、再生装置４０で歌の練習音源記録媒体１の第２データ部２０を再生させる。この第２の練習ステップＳ２０では、練習者は練習歌の拍子の拍数音で規則的に形成された和音演奏にあわせて歌の練習を行うことができ、練習歌の拍子の拍をつかむことで歌の流れのリズムを確かなものとすることができるリズム把握ステップといえる。第２の練習ステップＳ２０では、第２伴奏楽曲群の各伴奏楽曲を半音ずつ高くなる順番で再生させる。本実施形態では、基準の音程の第１和音伴奏曲２１を再生させながらその音程にあわせて楽曲全体を歌って練習を行い（ステップＳ２２）、次に第２和音伴奏曲２１より半音高い第２和音伴奏曲２２を再生させながらその音程にあわせて歌の練習を行い（ステップＳ２４）、次に第２和音伴奏曲２２より半音高い第３和音伴奏曲２４を再生させながらその音程にあわせて歌の練習を行い（ステップＳ２６）、次に第３和音伴奏曲２３より半音高い第４和音伴奏曲２４を再生させながらその音程にあわせて歌の練習を行う（ステップＳ２８）。この第２練習ステップでも第１の練習ステップ同様に楽曲全体を半音ずつ上下に変化させて歌の練習を行うことにより、声帯を鍛えて、歌の上達に寄与できる。なお、練習歌のリズムを覚えるために第２練習ステップの各ステップを繰返し練習することとしてもよい。
【００３６】
第３の練習ステップＳ３０は、第２の練習ステップの後すなわち練習歌のリズムを覚えた後に行われる第３練習ステップであり、再生装置４０で歌の練習音源記録媒体１の第３データ部３０を再生させる。この第３の練習ステップＳ３０では、練習者は自由な伴奏態様にあわせた歌の練習を行うことができ、第１データ部のメロディライン演奏や第２データ部の和音演奏のようにある種の規定された演奏を含まない自由な態様の伴奏楽曲にあわせて歌の練習を行える練習の最終ステップ又は仕上げステップといえる。メロディやリズムの把握等の第１、第２の練習ステップで練習した成果を生かして自由な伴奏態様に合わせて歌の練習を行うことにより、練習者が規則的な伴奏から解放されて達成感や満足感を感じながら気持ちよく歌の練習を行うことができる。第３の練習ステップＳ３０では、第３伴奏楽曲群を半音ずつ高くなる順番で再生させる。本実施形態では、基準の音程の第１自由伴奏曲３１を再生させながらその音程にあわせて楽曲全体を歌って練習を行い（ステップＳ３２）、次に第１和音伴奏曲３１より半音高い第２自由伴奏曲３２を再生させながらその音程にあわせて歌の練習を行い（ステップＳ３４）、次に第２自由伴奏曲３２より半音高い第３自由伴奏曲３４を再生させながらその音程にあわせて歌の練習を行い（ステップＳ３６）、次に第３自由伴奏曲３３より半音高い第４自由伴奏曲３４を再生させながらその音程にあわせて歌の練習を行う（ステップＳ３８）。この第３練習ステップでも楽曲全体を半音ずつ上下に変化させて歌の練習を行うことにより、さらに歌の上達に寄与できる。なお、第３練習ステップの各ステップを繰返し練習することとしてもよい。さらに、練習者が再生装置の操作部を操作して、記録媒体１中の任意の伴奏楽曲を自由に選択して再生させて、ステップＳ１２〜Ｓ３８の任意の歌の練習を行ってもよい。
【００３７】
以上説明した本発明の歌の練習音源記録媒体は、上記した実施形態のみの構成に限定されるものではなく、特許請求の範囲に記載した本発明の本質を逸脱しない範囲において、任意の改変を行ってもよい。
【産業上の利用可能性】
【００３８】
本発明の歌の練習音源記録媒体は、歌の練習を１人で行う際に好適に利用できる。
【符号の説明】
【００３９】
１    歌の練習音源記録媒体
１０    第１データ部
１１    第１メロディ伴奏
１２    第２メロディ伴奏
１３    第３メロディ伴奏
１４    第４メロディ伴奏
２０    第２データ部
２１    第１和音伴奏
２２    第２和音伴奏
２３    第３和音伴奏
２４    第４和音伴奏
３０    第３データ部
３１    第１自由伴奏
３２    第２自由伴奏
３３    第３自由伴奏
３４    第４自由伴奏
４０    再生装置
【図１】
2013134388.tif 000003
【図２】
2013134388.tif 000004
【図３】
2013134388.tif 000005
【図４】
2013134388.tif 000006
【図５】
2013134388.tif 000007
【図６】
2013134388.tif 000008